(57)【要約】【課題】浴用剤ａの分散効率が良く、簡単な構造で容易に製造でき、取り扱いも便利な浴用剤容器を提案する。【解決手段】第１本体部A1及び第２本体部A2を、それらの開口縁部相互を嵌着して内部に浴用剤ａを収納する収納室Ｒを画成した本体Ａと、本体Ａ上に一体に連設した第１浮形成部B1の開口縁部に、第２浮形成部B2の開口縁部を嵌着して形成した中空の浮Ｂとからなり、全体を合成樹脂により形成した。そして、浴槽に浮かべることにより収納浴用剤ａを湯水に溶出する如く構成した。【選択図】図１
2006334038.tif 000002
【特許請求の範囲】
【請求項１】
壁部に浴用剤溶出用の窓ｗを備えた皿状の第１本体部A1及び第２本体部A2を、それらの開口縁部相互を嵌着して内部に浴用剤ａを収納する収納部Ｒを画成した本体Ａと、該本体Ａ上に一体に連設した皿状の第１浮形成部B1の開口縁部に、皿状の第２浮形成部B2の開口縁部を気密，液密に嵌着して形成した中空の浮Ｂとからなることを特徴とする浴用剤容器。
【請求項２】
前記第２浮形成部B2を前記第１浮形成部B1に開閉可能に連結して、全体を合成樹脂により一体に形成してなる請求項１に記載の浴用剤容器。
【請求項３】
壁部に浴用剤溶出用の窓ｗを備えた本体Ａ及び浮Ｂとからなり、本体Ａは、上端開口の有底筒状をなす第１本体部A1と、該第１本体部A1の上端開口縁部に下端開口縁部を開閉可能に嵌着して内部に浴用剤ａを収納する収納部Ｒを画成した第２本体部A2とから構成し、前記浮Ｂは、前記第２本体部A2の頂部中央を上方へ膨出形成した第１浮形成部B1と、該第１浮形成部B1の下端開口縁部に上端開口縁部を気密，液密に嵌着した皿状の第２浮形成部B2とから構成したことを特徴とする浴用剤容器。
【請求項４】
前記第２浮形成部B2を、前記第２本体部A2に設けた切欠部24内に設けた可撓性の連結帯25を介して一体に連結し、全体を合成樹脂により一体に形成してなる請求項３に記載の浴用剤容器。
【請求項５】
壁部に浴用剤溶出用の窓ｗを備えた本体Ａ及び浮Ｂとからなり、本体Ａは、上端開口の有底筒状をなすとともに、底部内に浴用剤載置用台座35となる環状突片ｂを突出した第１本体部A1と、該第１本体部A1の上端開口縁部に下端開口縁部を嵌着して内部に浴用剤ａを収納する収納部Ｒを画成した有頂筒状をなすとともに、頂部内に第１浮形成部B1となる環状突片ｂを突設した第２本体部A2とから構成し、浮Ｂは、前記第１浮形成部B1下端開口を閉塞して気密，液密に板状の第２浮形成部B2を嵌着した中空体として構成し、前記第１本体部A1と第２本体部A2とを同一形状に形成したことを特徴とする浴用剤容器。
【発明の詳細な説明】
【技術分野】
【０００１】
本発明は浴用剤容器に関する。
【０００２】
芳香或いは温泉湯の成分の付与，着色，或いは殺菌等の目的で浴用剤を浴槽内に添加するための器具が種々提案されている（例えば、特許文献１及び特許文献２参照）。
【０００３】
特許文献１に記載されている器具は、開閉可能な中空球状のメッシュ容器内に浴用剤を収納し、このメッシュ容器を鎖を介して連結した吸着盤により吊り下げる如く構成し、メッシュ容器を湯の中に浸して収納浴用剤を使用する。
【０００４】
特許文献２に記載されている器具は、内部にフロート機能を付与する空間を有した上部容器と、上部容器に着脱自在で開口部を有する下部容器と入浴剤を収納した収納部及びフランジ部を有した耐水マットとからなる浴用剤容器であって、フランジ部が上部容器と下部容器とにより挟持され、かつ収納部が開口部から突出可能に構成されており、更に、耐水マットのフランジ部を構成する一面がフィルム状部材により形成され、耐水マットの収納部を下部容器の開口部から突出するように組み立てたときに、上部容器とフィルム状部材とにより密封空間を形成する如く構成している。
【特許文献１】特開平10-296272 号公報
【特許文献２】実公平06-000408 号公報
【発明の開示】
【発明が解決しようとする課題】
【０００５】
上記特許文献１のメッシュ容器によって浴用剤を付与する場合は、その吊り下げ位置が浴槽の辺部に特定されるため、溶け出した浴用剤が浴槽内の一部に片寄り、均一に分散させるためには充分な攪拌が必要となる。一方、特許文献２の浴用剤容器では、湯水に浮かすことができるため分散効率が良く、入浴剤の徐溶性に優れ、入浴剤の芳香を浴室内に徐々に放出するという効果を発揮する優れたものであるが、非通気性のフィルム状部材と、通気性、通液性の耐水マットで入浴剤を収納する収納部を形成し、別に非通気性の上部容器及び下部容器を必要とし、従って製造上の煩雑さがある。
【０００６】
本発明は上記した点に鑑みてなされたもので、浴用剤の分散効率が良く、また、簡単な構造なので容易に製造でき、取り扱いも便利な浴用剤容器を提案する。また、組み立て作業の簡素化を図れ、製造効率の向上を図れる浴用剤容器を提案する。
【課題を解決するための手段】
【０００７】
本発明の浴用剤容器１は合成樹脂製で、本体Ａと浮Ｂとを備えている。本体Ａは、第１本体部A1と第２本体部A2とを開閉可能に嵌着して内部に浴用剤ａを収納する収納部Ｒを画成している。
【０００８】
第１本体部A1及び第２本体部A2を形成する合成樹脂としては、浴槽内に浮かしても無害な樹脂であれば種々採用でき、また、湯水に対する比重が１より小さいものであっても大きいものであっても使用可能であり、例えば、ポリオレフィン系樹脂、ポリエステル樹脂等が好ましく使用できる。また、第１本体部A1と第２本体部A2とは同一形状であっても別形状であってもよい。
【０００９】
浴用剤ａは固形状のものをそのまま収納部Ｒ内に収納しても、或いは通液性のある袋等の被覆体に収納した顆粒状，粉末状の形態のものであっても良く、その種類としては従来使用されている浴用剤が使用できる。
【００１０】
浮Ｂは浴用剤ａを収納した本体Ａを浮かす浮力を備えた中空体であり、本体Ａと、一体に形成する場合も、本体Ａと別体に形成して嵌着する場合も採用できる。浮Ｂを形成する合成樹脂も浴槽内に浮かしても無害なものであれば種々採用できる。浮Ｂの形状或いは大きさは本体Ａの形状或いは必要浮力にあわせて選択すれば特に限定されず、例えば、中空の球状或いは立方体形状等の中空多面体形状、或いは中空柱状などが採用できる。
【００１１】
課題を解決するための第１の手段として、壁部に浴用剤溶出用の窓ｗを備えた皿状の第１本体部A1及び第２本体部A2を、それらの開口縁部相互を嵌着して内部に浴用剤ａを収納する収納部Ｒを画成した本体Ａと、該本体Ａ上に一体に連設した皿状の第１浮形成部B1の開口縁部に、皿状の第２浮形成部B2の開口縁部を気密，液密に嵌着して形成した中空の浮Ｂとから構成した。尚、ここでいう壁部は、第１本体部A1及び第２本体部A2の壁部であって、例えば、側壁，環状壁を言う。
【００１２】
第２の手段として、前記第１の手段に於いて、前記第２浮形成部B2を前記第１浮形成部B1に開閉可能に連結して、全体を合成樹脂により一体に形成した。
【００１３】
第３の手段として、壁部に浴用剤溶出用の窓ｗを備えた本体Ａ及び浮Ｂとからなり、本体Ａは、上端開口の有底筒状をなす第１本体部A1と、該第１本体部A1の上端開口縁部に下端開口縁部を開閉可能に嵌着して内部に浴用剤ａを収納する収納部Ｒを画成した第２本体部A2とから構成し、前記浮Ｂは、前記第２本体部A2の頂部中央を上方へ膨出形成した第１浮形成部B1と、該第１浮形成部B1の下端開口縁部に上端開口縁部を気密，液密に嵌着した皿状の第２浮形成部B2とから構成した。尚、ここで言う壁部は、第１本体部A1及び第２本体部A2の壁部であって、例えば、底壁，周壁，頂壁を言う。
【００１４】
第４の手段として、前記第３の手段に於いて、前記第２浮形成部B2を、前記第２本体部A2に設けた切欠部24内に設けた可撓性の連結帯25を介して一体に連結し、全体を合成樹脂により一体に形成した。
【００１５】
第５の手段として、壁部に浴用剤溶出用の窓ｗを備えた本体Ａ及び浮Ｂとからなり、本体Ａは、上端開口の有底筒状をなすとともに、底部内に浴用剤載置用台座35となる環状突片ｂを突出した第１本体部A1と、該第１本体部A1の上端開口縁部に下端開口縁部を嵌着して内部に浴用剤ａを収納する収納部Ｒを画成した有頂筒状をなすとともに、頂部内に第１浮形成部B1となる環状突片ｂを突設した第２本体部A2とから構成し、浮Ｂは、前記第１浮形成部B1下端開口を閉塞して気密，液密に板状の第２浮形成部B2を嵌着した中空体として構成し、前記第１本体部A1と第２本体部A2とを同一形状に形成した。尚、ここで言う壁部は、第１本体部A1及び第２本体部A2の壁部であって、例えば、底部を構成する壁部，周壁，頂部を構成する壁部を言う。
【発明の効果】
【００１６】
本発明の浴用剤容器は、湯水上に浮かせて使用するため浴用剤の分散効率が良く、また、全体を合成樹脂の一体成形により形成可能なもの、或いは２部材，３部材の少部材数で形成できるものであり、構造が簡単で容易に製造できる。また、第２本体部A2を第１本体部A1から外すことにより浴用剤ａの補充，交換を行えるため、取り扱いも極めて便利である。
【００１７】
また、第２の手段或いは第４の手段のものは、浴用剤ａを交換する際に浮Ｂを第１浮形成部B1及び第２浮形成部B2に分割する必要がないため、浮Ｂの密閉性をより安定して保つことができる利点を兼ね備える。
【００１８】
また、前記第１本体部A1及び第２本体部A2が同一形状をなす如く構成した場合には、第１本体部A1及び第２本体部A2を同一の型で形成でき、製造効率の向上を図れる。また、組み立て時にも第１本体部A1及び第２本体部A2を当初一緒にした状態で行えるため、組み立て作業をより簡素化できる。
【発明を実施するための最良の形態】
【００１９】
以下、本発明の実施例の形態を図面を参照して説明する。
【００２０】
図１乃至図３は本発明浴用剤容器の一例を示し、該浴用剤容器１は、全体を合成樹脂により一体に形成したもので、本体Ａと、浮Ｂとを備えている。
【００２１】
本体Ａは、第１本体部A1と第２本体部A2とを嵌着して構成している。第１本体部A1は、円板状の第１側壁２の周縁部から中央側に向かってテーパ状に拡がる第１環状壁３を延設し、第１環状壁３の先端縁には横円筒状の第１嵌合筒部４を延設している。第１嵌合筒部４の外周先端部には環状の第１係合凹部５を周設している。また、第２本体部A2は、同様に円板状の第２側壁６の周縁部から中央側に向かってテーパ状に拡がる第２環状壁７を延設し、第２環状壁７の先端縁には横円筒状の第２嵌合筒部８を延設している。そして第１嵌合筒部４の第１係合凹部５に第２嵌合筒部８を嵌合して本体Ａを形成している。
【００２２】
第１本体部A1の第１側壁２には浴用剤溶出用の窓ｗとしての細長台形状の側壁用の窓w1が放射状に複数穿設されており、また、第１環状壁３にも浴用剤溶出用の窓ｗとしての帯状の環状壁用の窓w2が周方向等間隔に複数穿設されている。同様に第２本体部A2の第２側壁６にも側壁用の窓w1が放射状に複数穿設されており、第２環状壁７にも環状壁用の窓w2が周方向等間隔に複数穿設されている。尚、第１本体部A1と第２本体部A2とは、第１嵌合筒部４下部と第２嵌合筒部８下部とをヒンジ９を介して回動可能に連結している。
【００２３】
浮Ｂは、第１浮形成部B1と第２浮形成部B2とを嵌着して構成している。第１浮形成部B1は、第１環状壁３の先端縁上部から上方へ立設した横断面コ字状をなす連結部10上に立設しており、中央側に開口した半球板状をなしている。また、第１浮形成部B1の開口縁部外周には環状の第２係合凹部11を凹設している。また、第２浮形成部B2も同様に、第２環状壁７の先端縁上部から上方ヘ立設した横断面コ字状の連結部10上に立設しており、中央側に開口した半球板状をなしている。そして、この第２浮形成部B2の開口縁部を前記第２係合凹部11に気密，液密に嵌着して中空の浮Ｂを形成している。また、第１浮形成部B1の上部に突設した係止突起12に係合するフック13を第２浮形成部B2の上端部に突設している。尚、浴用剤容器１を形成する場合には図３に示す如く、第１本体部A1と第２本体部A2、及び第１浮形成部B1と第２浮形成部B2、がそれぞれ１８０°開いた状態で合成樹脂により一体成形が可能である。
【００２４】
上記の如く構成した浴用剤容器１を使用するに当たっては、図１の状態で浴槽内の湯水に浮かべると、窓ｗの存在で本体Ａ内の収納部Ｒに収納した浴用剤ａが溶出するため、浴槽の中央部に於いて溶出させることができ、必要に応じて手等により拡散する。また、必要に応じて浮かす位置を移動させれば良い。浴用剤ａの交換に当たっては、例えば、フック13に指を掛けて係止突起12との係合を外すとともに、第２浮形成部B2及び第２本体部A2を開き、浴用剤ａを交換或いは補充した後再び閉じれば良い。
【００２５】
図４及び図５は他の例を示し、本例では、図１の例と同様形態の第１本体部A1と第２本体部A2とを、それぞれ第１嵌合筒部４の後部と第２嵌合筒部８の後部とをヒンジ９を介して回動可能に連結して左右方向に開閉する如く構成している。第１本体部A1のヒンジ９対向位置の第１嵌合筒部４外面に係止突起12を突設し、第２本体部A2のヒンジ９対向位置の第２嵌合筒部８外面に突設したフック13を係合させて第１本体部A1と第２本体部A2との嵌合を維持する如く構成している。また、第１本体部A1に図１の例と同様形態の第１浮形成部B1を一体に形成し、第１浮形成部B1の第２係合凹部11外周に、開口縁部を気密，液密に嵌合させた第２浮形成部B2を設けて浮Ｂを構成している。この第２浮形成部B2は、中央側に開口した半球板状をなし、更に、第１浮形成部B1の開口縁後部に可撓性の帯状連結片16を介して開口縁部後部を回動可能に連結している。また、第２浮形成部B2の開口縁部に、第１浮形成部B1開口部内周に嵌合するシール筒17を突設している。その他の構成は図１の例と同様であるため、同符号を付して説明を省略する。
【００２６】
図６は窓ｗの形態を変えた例を示し、図４及び図５の例に於いて第１環状壁３及び第２環状壁７の環状壁用の窓w2として細幅の帯状をなす窓ｗを周方向複数穿設している。尚、各側壁用の窓w1はもともと細幅に形成されている。この様な浴用剤溶出用の窓ｗを採用すれば、固形の浴用剤ａを直接収納部Ｒに収納する場合に便利である。その他は図４の例と同様であるため同符号を付して説明を省略する。
【００２７】
図７乃至図９は更に他の例を示し、本例における本体Ａも第１本体部A1及び第２本体部A2とから構成している。第１本体部A1は、底壁20周縁部より周壁21を立設した上端開口の有底筒状をなすとともに、周壁21の上端外周に環状の第１係合凹部５を周設し、また、底壁20には浴用剤溶出用の窓ｗとしての円形をなす底壁用の窓w3を環状に配設しており、周壁21には浴用剤溶出用の窓ｗとしての縦長帯状をなす周壁用の窓w4を周方向複数縦設している。第２本体部A2は、第１係合凹部５に嵌合させた周壁22の上端縁より中央部を第２浮形成部B2として上方にドーム状に膨出形成した頂壁23を延設し、頂壁23にその周縁部に沿って浴用剤溶出用の窓ｗとしての円形をなす頂壁用の窓w5を複数穿設している。この第２本体部A2は、その周壁22下端縁の一部と、第１本体部A1の周壁21上部一部とをヒンジ９により連結して一体に形成し、第１本体部A1に対して開閉可能に設けている。また、第１本体部A1の上部外周に突設した係止突起12に第２本体部A2の外周下部に突設したフック13を離脱可能に係合して嵌着状態を維持可能に構成している。
【００２８】
浮Ｂも、第１浮形成部B1及び第２浮形成部B2とから構成している。第１浮形成部B1は、、前記第２本体部A2の頂壁23の中央に頂壁23と一体に形成された上記ドーム状に膨出形成した部分であり、頂壁１下方に下端縁を突設している。また、第２浮形成部B2は、第１浮形成部B1の開口縁部に開口縁内周を嵌合させた半球板状をなし、開口縁部に周設したシール筒17を第１浮形成部B1の開口縁内周に嵌合させて気密，液密に嵌着している。この第２浮形成部B2は、第２本体部A2に一体に形成されている。第２本体部A2の頂壁23及び周壁22に亘る一部に切欠部24を設け、該切欠部24の基端部分に一端を連結した可撓性の連結帯25の他端に第２浮形成部B2の開口縁外周の一部を一体に連結し、連結帯25を湾曲させて第１浮形成部B1に第２浮形成部B2を嵌着させる如く構成している。この場合も図８に示す如く第２本体部A2及び第２浮形成部B2をそれぞれ１８０°開いた状態での一体成形が可能である。
【００２９】
図10は更に他の例を示し、図７乃至図９の例に於いて、切欠部24及び連結帯25を除いて第２浮形成部B2を別体に形成した以外は図７に示す例と同様である。従って、その他の部分は同符号を付して説明を省略する。
【００３０】
図11及び図12は更に他の例を示し、本例に於ける本体Ａも第１本体部A1及び第２本体部A2とから構成している。第１本体部A1は、底部30がドーム状に下方に突出した上端開口の有底筒状形態をなし、換言すれば断面形状が半楕円形状をなす上端開口の有底筒状形態をなし、また、周壁31部分には浴用剤溶出用の窓ｗとしての縦長の周壁用の窓w4を等間隔に複数穿設している。更に、上端開口部より係合手段を構成する係合突片32を等間隔に複数突設しており、その横幅が各係合突片32間の間隔幅と一致する如く構成している。各係合突片32は、図12に示す如く、先端各コーナーが湾曲した四角板状をなし、外面に係合突条33を突設しており、上端開口部の内側面と同外径の外径面を備えている。更に、各係合突片32間の第１本体部A1の周壁31上部所定位置には、第２本体部A2の後述する各係合突条が係合する係合凹溝34をそれぞれ凹設している。また、底部内には浴用剤載置用台座35となる環状突片ｂを突出している。
【００３１】
第２本体部A2は、第１本体部A1と同一形状であり、第１本体部A1を逆さまにした状態のもので、従って、第１本体部A1と同一の型での形成が可能となる。また、頂部36がドーム状をなす下端開口の有頂筒状形態をなし、換言すれば、断面形状が半楕円形状をなす下端開口の有頂筒状形態をなし、周壁37部分には等間隔に同様の周壁用の窓w4を複数穿設している。また、頂部36裏面には第１浮形成部B1として使用する前記第１本体部A1の環状突片ｂと同様形態の環状突片ｂを垂設している。更に、下端開口部より係合手段を構成する係合突片32を等間隔に複数垂設しており、その間の周壁37下端部所定位置には係合凹溝34をそれぞれ凹設している。
【００３２】
浮Ｂは、第１浮形成部B1と第２浮形成部B2とから構成しており、第１浮形成部B1は上記した如く、第２本体部A2の環状突片ｂで構成し、また、第２浮形成部B2は、環状突片ｂの下端開口を閉塞する蓋板38の上面より環状突片ｂ内周に気密，液密に嵌着する係合筒39を突設して構成している。
【００３３】
本例の場合には、第１本体部A1内の浴用剤載置用台座35に浴用剤ａを載置した後、第２本体部A2を嵌合して形成する。第２本体部A2の各係合突片32を第１本体部A1の開口内面に、第１本体部A1の各係合突片32を第２本体部A2の開口内面にそれぞれ嵌合させ、また、第１本体部周壁31上面に第２本体部周壁37下面を当接させて第２本体部A2を第１本体部A1に嵌着し、内部に収納部Ｒを画成する。使用に当たっては、浴槽の湯水上に浮かせれば良い。また、収納した浴用剤ａがなくなれば、第２本体部A2部を外して再び装着することができる。
【図面の簡単な説明】
【００３４】
【図１】本発明浴用剤容器の縦断面図である。（実施例１）
【図２】本発明浴用剤容器の側面図である。（実施例１）
【図３】本発明浴用剤容器の組み立て前の斜視図である。（実施例１）
【図４】本発明浴用剤容器の縦断面図である。（実施例２）
【図５】本発明浴用剤容器の組み立て前の斜視図である。（実施例２）
【図６】本発明浴用剤容器の組み立て前の斜視図である。（実施例３）
【図７】本発明浴用剤容器の半断面図である。（実施例４）
【図８】本発明浴用剤容器の組み立て前の斜視図である。（実施例４）
【図９】本発明浴用剤容器の組み立て前の平面図である。（実施例４）
【図１０】本発明浴用剤容器の組み立て前の斜視図である。（実施例５）
【図１１】本発明浴用剤容器の半断面図である。（実施例６）
【図１２】本発明浴用剤容器の連結手段を説明する要部斜視図である。（実施例６）
【符号の説明】
【００３５】
24…切欠部，25…連結帯，35…浴用剤載置用台座，Ａ…本体，A1…第１本体部，        A2…第２本体部，Ｂ…浮，B1…第１浮形成部，B2…第２浮形成部，Ｒ…収納部，
ａ…浴用剤，ｂ…環状突片，ｗ…浴用剤溶出用の窓
【図１】
2006334038.tif 000003
【図２】
2006334038.tif 000004
【図３】
2006334038.tif 000005
【図４】
2006334038.tif 000006
【図５】
2006334038.tif 000007
【図６】
2006334038.tif 000008
【図７】
2006334038.tif 000009
【図８】
2006334038.tif 000010
【図９】
2006334038.tif 000011
【図１０】
2006334038.tif 000012
【図１１】
2006334038.tif 000013
【図１２】
2006334038.tif 000014